(57)【要約】【課題】光記録媒体の再生情報の推測可能度また理解可能度の改善とともに速度または方向が可変の再生を可能にする再生装置を提供する。【解決手段】本発明は、ＣＤ等から読み出されたデータまたは情報を、一般にリアルタイム再生に必要とされるよりも速い速度においてバッファ・メモリ中に読み込むことに基づく。その場合、連続的なシーケンスの形でバッファ・メモリ（ＲＡＭ）中に読み込まれたデータをサブサンプリングまたはオーバサンプリングによって可変速度ＣＤ再生に使用する。逆方向再生のために、サブコード・ワードのグループをそのグループ内の順序を変えることによってバッファ・メモリから連続的に読み出し、連続的な再生データ・ストリームとして再生する。再生装置内に存在するアセンブリが速度または方向が可変のＣＤ再生に使用されることが有利であり、また再生情報の理解可能度の改善、また所望の再生位置のより正確な発見が可能である。【選択図】図１
2008010142.tif 000002
【特許請求の範囲】
【請求項１】
光記録媒体のデータ再生装置であって、
非圧縮のデジタルデータが連続シークエンスで格納されるバッファ・メモリと、
前記バッファ・メモリに結合された読取り書込みコントローラと、を備え、
前記コントローラは、前記バッファ・メモリから前記デジタルデータのサンプルの読み出しを、２サンプル毎にまたはｎサンプル毎に読み出すサブサンプリングによって高速順方向再生のための増加読み出し速度で行い、
前記コントローラは、前記バッファ・メモリから前記デジタルデータのサンプルの読み出しを、各サンプルを複数回読み出すオーバサンプリングによって低速再生のための通常読み出し速度で行い、
前記コントローラは、読み出されたサンプルを結合して連続したデータ・ストリームを形成し可変速度のデータ再生を提供する、前記装置。
【請求項２】
可変速度のデータ再生を提供する前記連続したデータ・ストリームが、通常速度で連続した再生データ・ストリームとして再生される、請求項１記載の装置。
【請求項３】
通常速度より低速での再生のときに、前記バッファ・メモリからのサンプルがオーバサンプリングで読み出され、通常速度での連続再生データ・ストリームとして再生されて所望の再生位置に移動する、請求項１記載の装置。
【請求項４】
サブサンプリングまたはオーバサンプリングされたサンプルのグループが前記バッファ・メモリから順序を変更して連続して読み出され、逆方向再生のために連続再生データ・ストリームとして再生される、請求項１記載の装置。
【請求項５】
前記バッファ・メモリ及び前記読取り書込みコントローラはＤＶＤ再生装置またはＣＤ再生装置のコンポーネントである、請求項１記載の装置。
【請求項６】
前記サブサンプリングと前記オーバサンプリングが組合されて可変速度のデータ再生を提供する、請求項１記載の装置。
【請求項７】
前記サブサンプリングと前記オーバサンプリングが多段式で行われて可変速度のデータ再生を提供する、請求項１記載の装置。
【請求項８】
光記録媒体のデータ再生装置であって、
非圧縮データが連続シークエンスで格納されるバッファ・メモリと、
前記バッファ・メモリに結合された読取り書込みコントローラと、を備え、
前記コントローラは、高速順方向再生モードのときに、前記バッファ・メモリに保存されたサンプルの読み出しを２サンプル毎にまたはｎサンプル毎に読み出すサブサンプリングによって増加読み出し速度で行い、
前記コントローラは、低速再生モードのときに、前記バッファ・メモリに保存された各サンプルを複数回読み出すオーバサンプリングによって通常読み出し速度で行い、
前記コントローラは、読み出されたサンプルを結合して前記高速順方向モード及び低速再生モードの一方における連続データ・ストリームを形成する、前記装置。
【請求項９】
前記読取り書込みコントローラは、高速再生モードのときに、前記バッファ・メモリからのサブサンプルの読み出しを保存されたサンプルの所定数をスキップすることにより行い、読み出されたサブサンプルを結合して高速順方向モードでの再生のための連続データ・ストリームを提供する、請求項８記載の装置。
【請求項１０】
前記読取り書込みコントローラは、超高速再生モードのときに、サブコード・ブロックを読み出し、保存されたサブコード・ブロックの所定数をスキップし、読み出されたサブコード・ブロックを結合して超高速再生モードでの再生を行う、請求項８記載の装置。
【発明の詳細な説明】
【技術分野】
【０００１】
本発明は、速度または方向が可変のＣＤ再生装置に関する。本発明の応用分野は、ＣＤ上に記憶されたデータまたは情報を、速度を速くするかまたは遅くして、また方向を変えて再生することができるＣＤ再生装置、特に、例えばＣＤの再生にも適したＤＶＤプレーヤなど、ＣＤプレーヤと互換性のある装置または対応するＣＤ−ＲＯＭドライブに関する。本発明の態様は、特に、再生情報の理解可能度の改善、所望の位置への迅速かつ正確な移動、また逆方向再生である。
【背景技術】
【０００２】
早送り動作または巻戻し動作中、周知のオーディオＣＤプレーヤは、再生情報の低い理解可能度しか有しない。通常の速度において再生される短いシーケンス間で、次のシーケンスへの広い飛越しが実施され、それにより早送り動作の感覚がユーザに伝わる。通常、複数のトラック上で実施されるあるシーケンスから次のシーケンスへの飛越し中、情報は記録媒体から読み出されず、したがってデータはバッファ・メモリ中に不連続的なシーケンスの形で読み込まれ、再生シーケンス間に間隙が生じる。情報再生は通常の速度またはリアルタイムにおいて行われるが、再生情報の理解可能度が低いか、または推測可能度が低いために、ユーザはほとんど再生経過を追跡することができない。断片の形で再生された情報を追跡し、その内容を推測し、また再生を所望の位置において停止または開始することは非常に困難であることが分かっている。
【発明の開示】
【発明が解決しようとする課題】
【０００３】
したがって、本発明の目的は、再生情報の推測可能度また理解可能度の改善とともに速度または方向が可変のＣＤ再生を可能にする再生装置を提供することである。
【０００４】
本発明によれば、この目的は、主クレームに記載されている特徴によって達成される。有利な設計および発展形はサブクレームに記載されている。
【課題を解決するための手段】
【０００５】
本発明は、光記録媒体から読み出されたデータまたは情報を、通常、リアルタイム再生に必要とされるよりも速い速度においてバッファ・メモリ中に読み込むことに基づく。これは、例えば、耐振動ＣＤ再生装置、ＣＤ−ＲＯＭドライブ、またＤＶＤ再生装置に適用できる。
【０００６】
耐振動ＣＤ再生装置は、記録媒体から読み出されたデータまたは情報が通常２倍の速度においてその中に読み込まれ、再生のために通常の速度において読み出されるバッファ・メモリを有する。電子制御装置は、ピックアップのターゲット・ジャンプ・バックによって、データ・ストリームの連続性が保証され、かつバッファ・メモリが最大限度まで充填されることを保証する。その場合、バッファ・メモリのサイズは、記録媒体から読み出されたデータ・ストリームの割込みがあるときに再生装置が記録媒体の情報またはデータを割込みなしに再生することができる時間の長さに関する重要なファクタである。さらに、データがＣＤから読み出される速度がバッファ・メモリの占有率の関数として調整される耐振動ＣＤ再生装置が周知である。
【０００７】
通常、コンピュータに接続されるＣＤ−ＲＯＭでは、ハードディスクまたは仮想メモリが適切な容量のバッファ・メモリとして使用される。ＤＶＤ再生装置も、コンパクト・ディスクまたは通常のオーディオＣＤを再生することができるようになされる。このために、ＤＶＤの再生に必要なものと同じハードウェアがその場合使用される。すなわち、ＣＤからのデータが通常のＣＤプレーヤの場合よりも速い速度においてその中に読み込まれる大きいバッファ・メモリが使用できる。この場合も、電子制御装置は、走査ユニットまたはピックアップのターゲット・ジャンプ・バックによって、バッファ・メモリ内のデータ・ストリームの連続性が保持されることを保証する。ＣＤから読み出されたデータのこの余剰は、本発明の一態様によれば、再生情報の理解可能度の改善とともに可変速度ＣＤ再生に使用されることが有利である。
【０００８】
従来技術から周知の解決策と異なり、記録媒体の個々のシーケンスを不連続的に再生するのではなく、早送り動作のためにサブサンプリングによって、あるいは再生速度を遅くするためにオーバサンプリングによって、記録媒体のデータをバッファ・メモリから間隙が生じることなしに、または連続的に読み出す。
【０００９】
このために、再生速度を設定する情報読取り手段が可変速度ＣＤ再生装置内に備えられる。情報読取り手段は、バッファ・メモリ用の読取り書込みコントローラを含んでいる。このコントローラは、各設計に応じて、任意選択でＦＩＦＯおよびＤ／Ａ変換器に接続される。したがって、ＣＤ再生装置内またはＣＤ互換装置内にすでに存在する装置は、本発明の第２の態様によれば、再生情報の理解可能度の改善とともに、早送り動作、再生速度の低下、また逆方向再生用に使用できることが有利である。早送り動作では、データは、サンプルをスキップすることによって、通常の動作と比較して速い速度においてバッファ・メモリから読み出される。データは、リアルタイム再生または通常動作中の再生に必要とされる速度よりも速い速度においてバッファ・メモリ中に同様に読み込まれる。これにより通常の動作と比較して戻りの回数が少なくなることが有利である。理解可能度の改善を伴う再生は、電子制御装置を使用して、ＣＤから読み出されたデータを、順序付けされたシーケンスの形で連続的なデジタル・データ・ストリームとしてバッファ・メモリに読み込むか、あるいはサブサンプリングまたはオーバサンプリングによってバッファ・メモリから読み出し、連続的なデータ・ストリームとして再生することによって実施される。サブサンプリングの場合、１つおきまたはｎ番目のサンプルのみを情報読取り手段によってバッファ・メモリから読み出し、互いに結合して、連続的なデータ・ストリームを形成する。その場合、サブサンプリングの結果は、２倍またはｎ倍の速度を有するデータ・ストリームになる。サブサンプリングはまた、周知の周波数増大をもたらす。ただし、この場合、間隙を伴う通常の速度でのセグメントの周知の再生と比較して理解可能度の改善が達成されることが分かっている。さらに、スキップしたサンプルの繰返し速度が速くなると、繰返し速度が遅い場合よりもエイリアシングが少なくなることが分かっている。情報脱落を情報期間にわたって分配すると、同じ情報損失の集中外観よりも妨害効果が小さくなる。再生情報の理解可能度の改善によって、ＣＤの再生経過をよりよく追跡することができ、したがって、本発明の他の態様によれば、より高い確度で所望の位置または経路に移動することができる。ＣＤまたはＣＤ互換装置内に存在する読取り書込みコントローラは、入力信号によってＣＤ再生速度を変えるためにサブサンプリングまたはオーバサンプリングを実施するように誘導できる。ＣＤ再生速度の低下をもたらすオーバサンプリングの場合、バッファ・メモリ内に記憶されたサンプルを速度の低下に従って数回読み出し、互いに結合して、連続的なデータ・ストリームを形成する。それにより高い精度で所望の位置または経路に移動することができる。
【００１０】
本発明の他の態様は、ＣＤの再生方向を変えること、すなわち逆方向再生である。使用される変調のタイプ、および観測しなければならないビット・シーケンスのために、原則として、走査方向を逆転することによってＣＤ上に記憶された情報を逆方向に再生することはできない。ＣＤ用に選択された変調のタイプで接続されたビットを８対１４変調中に充填し、結合ビットを挿入する場合、ＣＤ上に記憶された情報を順方向に再生する必要がある。さらに、逆方向走査によってＭＳＢまたはＬＳＢの位が入れ替わる。これらの障害にもかかわらず、逆方向ＣＤ再生は次のようにして実施できる。
−  通常の動作において使用される方向に対応するＣＤの方向または回転方向を走査する、
−  第１の所定の数のサブコード・ブロックをバッファ・メモリ中に読み込む、
−  第１の所定の数のサブコード・ブロックの最後のサブコード・ブロック内の最後のサンプルから始めて、第１のサブコード・ブロックの第１のサンプルまでバッファ・メモリから再生または読出しを実施する、
−  サブコード・ブロックの出力ブロックの前にある記録媒体に第２の所定の数のサブコード・ブロックを要求する。この要求またはバッファ・メモリ中への読込は、第２の所定の数が第１の所定の数の出力の直後に読出しのために使用できるように、第１の所定の数のサブコード・ブロックの第１のサブコード・ブロックの第１のサンプルの読出しの前にすでに終了していなければならない。通常の速度における約０．６６秒の再生時間に対応する第１の所定の数の５０サブコード・ブロックは、オーディオＣＤの場合に有利であることが分かっている。
【００１１】
本発明の他の態様は、超高速ＣＤ再生である。ｙ倍の速度において再生する場合、所定の数、例えば５０個のサブブロックの範囲を再生し、次いで（ｙ−１）・ｎ個のサブコード・ブロックをスキップする。同様に、バッファ・メモリから再生または読み出されたサブコード・ブロックを互いに結合して、連続的なデータ・ストリームを形成する。次いで、連続的なデータ・ストリームを通常の速度において再生する。ただし、まずこのデータ・ストリームをバッファ記憶し、次いでそれを再びサブサンプリングあるいはオーバサンプリングにかけることもできる。特に非常に速い再生速度において、多段サンプリングおよびサブサンプリングとオーバサンプリングの組合せによって理解可能度の改善が達成される。
【００１２】
以下で、本発明について、図面に関してより詳細に説明する。
【発明を実施するための最良の形態】
【００１３】
速度または方向が可変のＣＤ再生は、バッファ・メモリＲＡＭ内に記憶されたサンプルＳのサブサンプリングまたはオーバサンプリングまたはシーケンス変化を使用して実施される。オーディオＣＤの場合、サンプルは、２つの１６ビット・データ・ワードならびに、メモリ編成に応じて、任意選択でサブコードおよびエラー補正データから構成される。速い速度でＣＤを再生する場合、特に、本発明の第１の方法ステップによれば、データまたは情報をリアルタイム動作におけるＣＤ再生の場合に必要な速度よりも速い速度においてＣＤからバッファ・メモリＲＡＭ中に読み込む。リアルタイム動作なる語は、ここでは、実質上記録中にイベントのシーケンスに対応するような形で再生を実施するために、通常の速度における再生または記録媒体が通常目的とする再生に対応する再生モードと同義に使用される。
【００１４】
ＣＤを再生装置中に挿入した後、まず内容のリストを読み出す。内容のリスト中には、記憶されたプログラム・ブロックの開始時間および数およびその合計演奏時間に関する情報を提供するデータが記憶されている。さらに、時間基準として使用されるいわゆる時間コード・データが提供される。これにより、直接にそれぞれオーディオＣＤまたはビデオＣＤの場合のタイトルに対応するプログラム・ブロックを捜したり、プログラム・ブロックに移動し、プログラム・ブロックの再生を開始することができる。タイトルの開始位置の他に、いわゆるインデックスを使用して、他の再生位置に直接に飛び越すこともできる。しかしながら、走査位置に存在する情報への割当ては再生後にのみ可能である。
【００１５】
したがって、ＣＤ上に記憶された情報を短時間で引き出すには、再生情報の理解可能度が良好な早送り動作が必要である。さらに、タイトル中の要素の所望の部分を再生するために、または特定の情報を他の記録媒体にコピーするために、所望の情報の位置に高い確度で移動する必要がある。したがって、所望の情報位置に移動する動作中に再生された情報の理解可能度は、確度のために必要な前提条件である。ＣＤ上に記憶された情報を早送り動作において再生するために、図８に従って、ＣＤのシーケンス１〜２を通常の速度において、あるいはリアルタイムで再生し、その後複数のトラックをスキップし、後続のシーケンス３〜４を再生し、次いでこれらの後にそれぞれ、飛越しの後で再び、後続のシーケンス５〜６を再生することが周知である。この方法（図８では、図が見やすいように一定の縮尺で図示されていない）では、飛越しによって支配されるシーケンス１〜２からシーケンス３〜４、．．．までの飛越しのために、ＣＤから情報が読み出されない時間の間隙または期間が生じる。これはまた、図９に概略図として示されているデータ・ストリーム中にも反映される。データ・トラックのスキップは、リアルタイム動作に比較して再生中の時間間隔を短縮し、それにより早送り動作の効果をもたらす。シーケンス１〜２、３〜４は、通常の速度において、あるいはリアルタイム動作において再生されるが、図９に従って、シーケンス１〜２、３〜４、．．．の間に間隙を有する。再生シーケンス間の間隙は、例えば、ＣＤの内部領域および外部領域内で異なる飛越し時間および走査システムの機械的特性によってもたらされる。再生情報の理解可能度は低く、したがって再生経過を追跡することは、非常に大きい困難を伴うばかりであるか、あるいは大部分の場合、全く不可能である。これは単独で、所望の情報経路に移動することができないことを意味する。さらに、シーケンス１〜２、３〜４、．．．間の記憶された情報値は、飛越しのために、基本的に再生に使用できない。これらの欠点は、ＣＤ上に記憶された情報をリアルタイム動作に比較して速い速度においてバッファ・メモリＲＡＭ中に読み込み、サブサンプリングと互いに結合して、連続的に割り込まれないまたは連続的な再生データ・ストリームＷを形成する方法および構成によって克服される。図１は、ＣＤから読み出されたデータ・ストリームのサンプルＳ１．．．Ｓ９、オーディオＣＤの場合はそれぞれ２つの１６ビット・データ・ワードから構成されるサンプルＳ１．．．Ｓ９ならびにサブコードおよびエラー補正データを示す。選択されたバッファ・メモリＲＡＭのタイプに応じて、データ・ストリームを完全に記憶するか、あるいは実際の情報を含んでいるデータ・ワードまたはサンプルＳ１．．．Ｓ９を記憶する。速い速度で再生する場合、バッファ・メモリＲＡＭからの読出し中、最初にまだＣＤから完全な形で読み込まれている情報量をサブサンプリングによって少なくする。２倍の速度でＣＤを再生する場合、図１に従って、１つおきのサンプルＳ１、Ｓ３、Ｓ５、Ｓ７、Ｓ９を再生用に使用する。次いで、バッファ・メモリＲＡＭ内のアドレス指定された構成に基づいて、これらのサンプルＳ１、Ｓ３、Ｓ５、Ｓ７、Ｓ９を互いに結合して、連続的な再生データ・ストリームＷを形成する。その場合、再生データ・ストリームＷは、サンプルＳ１、Ｓ３、Ｓ５、Ｓ７、Ｓ９の間に間隙を有せず、したがって周知のＣＤ再生モードに比較してより大きい情報量が使用でき、したがってＣＤ再生のために通常の速度において早送り動作において再生することが有利である。ただし、再生された情報の理解可能度の改善をもたらすのはこの態様だけではない。再生された情報の理解可能度に関して、特定の情報量に関して、理解可能度は、情報損失が集中的に現れる場合よりも情報損失が均一に分配される場合のほうがよいことが分かっている。個々のシーケンス１〜２、３〜４、．．．ならびにサンプルＳ１、Ｓ３、Ｓ５、Ｓ７、Ｓ９が通常の速度において再生される場合でも、あるいはシーケンス１〜２、３〜４、．．．またはサンプルＳ１、Ｓ３、Ｓ５に関して、リアルタイム動作において再生される場合でも、理解可能度に関して、著しい差異が確認できる。記載の方法を使用すれば、早送り動作におけるＣＤ再生の理解可能度が高くなり、再生経過をよりよく追跡でき、また所望の情報再生位置により高い確度で到達する。より高い確度は、理解可能度の改善によってだけではなく、情報間隙がより短い長さを有することによって達成される。所望の情報再生位置に移動するときの精度をさらに高めるために、サブサンプリングを実施する。このために、図２に従って、バッファ・メモリＲＡＭ内に記憶されたサンプルＳ１、Ｓ２、Ｓ３、．．．を繰り返し再生する。図２に示される各サンプルＳ１、Ｓ２、Ｓ３の単一の繰り返しでは、再生速度が半分に低下し、したがって所望の位置において停止する反応領域が拡大されるので所望の再生位置により高い確度で移動することができる。
【００１６】
他の態様は、逆方向動作におけるＣＤ再生を可能にするものである。このために、いずれの場合にもすべてのＣＤ再生装置内に存在するバッファ・メモリＲＡＭを同様に有利な形で使用する。再生のためにＣＤから読み出されたデータ・ストリームが、原則として、使用する変調タイプおよび観測すべきビット・シーケンスのために規定された方向しか有しない場合でも、逆方向再生は可能である。このために、いずれの場合にもすべてのＣＤ再生装置内に存在するバッファ・メモリＲＡＭを同様に有利な形で使用する。ＣＤ再生は逆方向において実施すべきであるが、ＣＤは、通常の動作に対応する順方向において再生する。それでも逆方向再生を可能にするために、第１の方法ステップにおいて、第１の所定の数、例えば、図３に対応する設計の場合５０個のサブコード・ブロックをバッファ・メモリＲＡＭ中に読み込む。次いで、第２の方法ステップにおいて、最後のサブコード・ブロック５０の最後のサンプルから始めて、第１のサブコード・ブロック１の第１のサンプルまで、順方向においてバッファ・メモリＲＡＭ中に読み込まれたサブコード・ブロック１．．．５０を読み出すか、または再生する。次いで、サブコード・ブロックの出力ブロックの前にある第２の所定の数のサブコード・ブロックを記録媒体に要求し、それにより逆方向再生の場合でも再生データ・ストリームＷの連続性を保証する。第２の所定の数のサブコード・ブロックは、第１の数に対応することが好ましい。その場合、その数は、第２の所定の数が第１の所定の数の読出しの直後に使用できるように、バッファ・メモリＲＡＭの最大記憶容量よりも少ないことが好ましい。通常の速度における約０．６６秒の再生時間に対応するこの例示的な実施形態に示される５０個のサブコード・ブロックの数は、オーディオＣＤ再生の場合に有利であることが分かっている。
【００１７】
記載の方法は、結合形または多段形で実施することもできる。これらの２段サブサンプリングの一例を図４に示し、サブサンプリングとオーバサンプリングの組合せを図５に示す。ただし、ここに図示していない他のすべての組合せも可能である。
【００１８】
図４および図５に関して説明した超高速ＣＤ再生は、一段式かあるいは多段式に実行される。ｙ倍の速度でのＣＤ再生を実現するために、一段設計では、所定の数ｎ１、例えば５０個のサブコード・ブロックを再生し、次いで（ｙ−１）・ｎ個のサブコード・ブロックをスキップして、第２の数ｎ２のサブコード・ブロックの再生を継続する。図４に従って、サブコード・ブロックを同様に互いに結合して、連続的な第１の再生データ・ストリームＷ１を形成する。この再生データ・ストリームＷ１の通常の速度における再生は、そのときすでに一段方法におけるＣＤ再生のｙ倍の速度をもたらす。一方、図４に従って、第１の再生データ・ストリームＷ１を第２のサブサンプリングにかけると、その結果２ｙ倍のＣＤ再生の再生データ・ストリームＷ２がそのとき得られる。ここでは例としてのみ示したサブサンプリングの程度は自由に選択できる。ｙ倍の速度での多段ＣＤ再生の場合、サンプリング間隔がそれに応じて小さくなる。再生速度が非常に速い場合、周波数増大効果を低減し、かつ理解可能度の改善を達成するために、図５に従ってサブサンプリングとオーバサンプリングを組み合わせることがある速度範囲内で有利である。
【００１９】
速度または方向が可変のＣＤ再生は、ＣＤ再生装置が、適切に寸法決定されたバッファ・メモリＲＡＭ、または記録媒体のデータまたは情報がリアルタイム動作におけるＣＤ再生に必要な速度に対して速い速度においてその中に読み込まれるバッファ・メモリＲＡＭを有する場合に可能になる。通常の速度でのＣＤ再生装置と互換性のある装置は、特に、適切に寸法決定されたバッファ・メモリＲＡＭ、または記録媒体を速い速度において読み出すユニットをすでに有しているので、この目的に適していることが有利であり、したがってそれらを使用すれば上述の方法を実現することができる。これは、例えば、ＣＤが速い速度において読み取られる耐振動再生装置に適用できる。一方、ＤＶＤ再生装置では、比較的大きいバッファ・メモリＲＡＭが使用できる。このタイプの装置内に備えられたコントローラは、バッファ・メモリＲＡＭが記録媒体から読み出されたデータまたは情報で充填されることを保証する。しかしながら、応用分野はこのタイプの装置に限定されない。特に、本発明の可変速度ＣＤ再生装置は、図６に示される回路構成に従って構成される。この装置は、ディスクＤからのデータまたは情報がその中に読み込まれるバッファ・メモリＲＡＭを有する。バッファ・メモリＲＡＭには、読取り書込みコントローラＳＬＳが接続される。このコントローラＳＬＳによって、読取り書込みコントローラＳＬＳの入力Ｅに加えられた制御信号に従って、可変速度ＣＤ再生のためにサブサンプリングまたはオーバサンプリングによってサンプルまたはサブコード・ブロックを読み出す。したがって、バッファ・メモリＲＡＭおよび読取り書込みコントローラＳＬＳは、すでに可変速度ＣＤ再生のための十分な前提条件である。図６に示される回路構成は、装置の非同期動作モードを可能にするために、さらにＦＩＦＯメモリを有する。ＦＩＦＯには、Ｄ／Ａ変換器が結合される。オーディオ再生装置の場合、このＤ／Ａ変換器によってアナログ出力信号Ａがもたらされる。このために、Ｄ／Ａ変換器は、リアルタイムまたは通常速度における再生に使用される速度に対応するクロック速度Ｔにおいて刻時される。
【００２０】
逆方向ＣＤ再生の場合、図７に従って、読取り書込みコントローラＳＬＳに接続され、ディスクＤ上のすでに読み出されたサブコード・ブロックの前に配置されたサブコード・ブロックを有する位置においてディスクＤを読み取る逆方向制御手段ＲＳが備えられる。逆方向制御手段ＲＳは、必要なサブコード・ブロックを見つけるアドレス指定が十分なので、バッファ・メモリＲＡＭを充填するためにほとんど費用なしにコントローラ内に組み込むことができる。他のすべての構成部品に関して、図７は、図６に示される回路構成に完全に対応する。逆方向ＣＤ再生の場合、読取り書込みコントローラＳＬＳの制御入力Ｅに信号を加え、この信号で読取り書込みコントローラを上述の方法を実施するよう誘導する。本発明は一般に速度および方向を変えて情報またはデータを再生するために使用できるので、本発明の応用分野はここに示した例示的な実施形態に限定されない。上述のオーディオ用の応用分野の他に、ビデオおよびデータ技術の分野においてデータ形式を考慮した応用が可能である。
【図面の簡単な説明】
【００２１】
【図１】サブサンプリングの概略図である。
【図２】オーバサンプリングの概略図である。
【図３】逆方向再生の概略図である。
【図４】多段サブサンプリングの概略図である。
【図５】サブサンプリングとオーバサンプリングを混合した場合の概略図である。
【図６】速度または方向が可変のＣＤ再生の回路構成を示す図である。
【図７】逆方向ＣＤ再生の回路構成を示す図である。
【図８】速い速度における周知のＣＤ再生の概略図である。
【図９】周知のサブサンプリングの概略図である。
【符号の説明】
【００２２】
ＲＡＭ    バッファ・メモリ
Ｗ    再生データ・ストリーム
ＳＬＳ    読取り書込みコントローラ
ＲＳ    逆方向制御手段
Ｓ１    サンプル
Ｓ２    サンプル
Ｓ３    サンプル
Ｓ４    サンプル
Ｓ５    サンプル
Ｓ６    サンプル
Ｓ７    サンプル
Ｓ８    サンプル
Ｓ９    サンプル
【図１】
2008010142.tif 000003
【図２】
2008010142.tif 000004
【図３】
2008010142.tif 000005
【図４】
2008010142.tif 000006
【図５】
2008010142.tif 000007
【図６】
2008010142.tif 000008
【図７】
2008010142.tif 000009
【図８】
2008010142.tif 000010
【図９】
2008010142.tif 000011